(57)【要約】 【課題】小型で、簡単に無駄なく液状物を詰め替えることができ、詰替で使用しない場合でも小物入れとしても使用できる詰替補助具を提供する。【解決手段】本考案は、上記課題を解決するため、有底の上面が開口し前記底が中央に向かって下方に傾斜し中央の最下端に液状物の流出口を穿設した平面形状が略長方形の本体と、前記本体の内部側面にハサミを係止するために取り付けられたフックと、前記本体の底部傾斜面に袋体の切り口を係止するために形成された略三角形状の突起と、前記本体の向かい合う各長辺の内側面に垂直下方に向かって平行且つ隙間を設けて取り付けられた複数のガイドと、前記ガイド間の隙間に上方から挿通し前記本体内部を間仕切る支持板とからなることを特徴とする詰替補助具の構成とした。【選択図】  図２
0003164676.tif 000002
【実用新案登録請求の範囲】
【請求項１】
有底の上面が開口し前記底が中央に向かって下方に傾斜し中央の最下端に液状物の流出口を穿設した平面形状が略長方形の本体と、前記本体の内部側面にハサミを係止するために取り付けられたフックと、前記本体の底部傾斜面に袋体の切り口を係止するために形成された略三角形状の突起と、前記本体の向かい合う各長辺の内側面に垂直下方に向かって平行且つ隙間を設けて取り付けられた複数のガイドと、前記ガイド間の隙間に上方から挿通し前記本体内部を間仕切る支持板とからなることを特徴とする詰替補助具。
【請求項２】
前記支持板を、上端に上突板を垂設し、下端中央に凹部を形成して、前記凹部の上端に前記上突板と平行となるように下突板を垂設し、上部及び下部以外の面を緩やかな湾曲部を形成した支持板としたことを特徴とする請求項１に記載の詰替補助具。
【請求項３】
前記本体を、壁面に本体を固定するために外側面の中央付近に取付部を備えた本体としたことを特徴とする請求項１又は請求項２の何れかに記載の詰替補助具。
【請求項４】
前記取付部を、前記本体の外側面に垂設され端部に上下挟持片からなる略コの字状の連結凹部を形成し、前記上下挟持片に取付孔を穿設した連結部と、
前記連結凹部に連結軸を介して回動可能に取り付ける挿入部を備えた吸盤とからなる取付部としたことを特徴とする請求項３に記載の詰替補助具。
【考案の詳細な説明】
【技術分野】
【０００１】
本考案は、シャンプー、リンス、ボディーソープ、洗剤等の粘度のある液状物を容器に詰め替える詰替補助具に関する。
【背景技術】
【０００２】
従来、シャンプー、リンス、洗剤等をはじめとする液状物は袋体に収容されて販売されており、使い切って空となった容器に補充して同じ容器を使用し経済的である。
【０００３】
しかしながら、市販されている袋体から空容器に液状物を詰め替えるのは、容器の口が小さいため容易なことではなく、補充中に容器口から垂れてしまい無駄にすることがあった。
【０００４】
また、袋体の切り口を容器口に充てるには袋体を逆さまにする必要があり、そもそも中身が液体であるため袋を逆さまにし、上手く容器に補充するのは難しかった。
【０００５】
また、上手く補充できたとしても、これらの液状物は幾分粘度があるため、袋体に残ってしまうことがあり、絞り出して全てを容器に移すのは難しかった。
【０００６】
以上のような煩わしさを解消するため、切り口部分に硬質な筒体を取り付けて容器口に挿入しやすくし、液だれを防止する袋体があるが、シャンプーやボディーソープのような粘度の強い液状体には不向きであった。
【０００７】
また、特許文献１に示すような液状物詰め替え用ディスペンサ及びディスペンサユニットが公開されているが、構造が複雑で大きく、使用しない場合に場所を取るものであり、結局のところ、容易に詰替を行うことができるような詰替補助具は見あたらなかった。
【先行技術文献】
【特許文献】
【０００８】
【特許文献１】特開２００７−１５８２号公報
【考案の概要】
【考案が解決しようとする課題】
【０００９】
そこで、本考案は、小型で、簡単に無駄なく液状物を詰め替えることができ、詰替で使用しない場合でも小物入れとしても使用できる詰替補助具を提供する。
【課題を解決するための手段】
【００１０】
本考案は、上記の課題を解決するために、有底の上面が開口し前記底が中央に向かって下方に傾斜し中央の最下端に液状物の流出口を穿設した平面形状が略長方形の本体と、前記本体の内部側面にハサミを係止するために取り付けられたフックと、前記本体の底部傾斜面に袋体の切り口を係止するために形成された略三角形状の突起と、前記本体の向かい合う各長辺の内側面に垂直下方に向かって平行且つ隙間を設けて取り付けられた複数のガイドと、前記ガイド間の隙間に上方から挿通し前記本体内部を間仕切る支持板とからなることを特徴とする詰替補助具の構成とした。
【００１１】
また、前記支持板を、上端に上突板を垂設し、下端中央に凹部を形成して、前記凹部の上端に前記上突板と平行となるように下突板を垂設し、上部及び下部以外の面を緩やかな湾曲部を形成した支持板としたことを特徴とする詰替補助具の構成とした。
【００１２】
更に、前記本体を、壁面に本体を固定するために外側面の中央付近に取付部を備えた本体としたことを特徴とする詰替補助具の構成とした。
【００１３】
加えて、前記取付部を、前記本体の外側面に垂設され端部に上下挟持片からなる略コの字状の連結凹部を形成し、前記上下挟持片に取付孔を穿設した連結部と、前記連結凹部に連結軸を介して回動可能に取り付ける挿入部を備えた吸盤とからなる取付部としたことを特徴とする詰替補助具の構成とした。
【考案の効果】
【００１４】
本考案は、上記のような構成であるため、誰でも簡単に液状物を袋体から容器に移すことができ、また、液状物も最後の一滴まで無駄なく移すことが出来る。
【００１５】
また、液状物の詰替に使用しない場合であっても、小物入れとして使用することができ、更に、反転させることにより造花等の一輪挿しとしても使用することができる。
【００１６】
加えて、支持板を使用して間仕切ることにより、大きさの異なる各メーカーの様々な袋体に対応することができる。
【図面の簡単な説明】
【００１７】
【図１】本考案である詰替補助具の第１実施例の斜視図である。
【図２】本考案である詰替補助具の第２実施例の斜視図である。
【図３】本考案である詰替補助具の第２実施例の平面図である。
【図４】本考案である詰替補助具の縦断面図である。
【図５】本考案である詰替補助具の縦断面図である。
【考案を実施するための形態】
【００１８】
以下、添付の図面を参照し、本考案の実施の形態について詳細に説明する。
【実施例１】
【００１９】
図１は本考案である詰替補助具の第１実施例の斜視図である。図１に示すように、本考案である詰替補助具１は、有底の上面が開口し前記底が中央に向かって下方に傾斜し中央の最下端に液状物の流出口２ｆを穿設した平面形状が略長方形の本体２と、前記本体２の内部側面にハサミを係止するために取り付けられたフック２ｃと、前記本体２の底部傾斜面に袋体の切り口を係止するために形成された略三角形状の突起２ｄと、前記本体２の向かい合う各長辺の内側面に垂直下方に向かって平行且つ隙間２ｅを設けて取り付けられた複数のガイド２ｂ、２ｂ、２ｂ・・・と、前記ガイド２ｂ間の隙間２ｅに上方から挿通し前記本体２内部を間仕切りする支持板３とからなる。
【００２０】
前記本体２は、上面が大きく開口しており、平面形状が略長方形状をしている。また、本体２の底面部分は、中央に向かうに従って下方に傾斜し、再下端にあたる中央部に流出口２ｆを形成している。
【００２１】
前記流出口２ｆの周囲の傾斜具合は、その他の傾斜部２ａの傾斜よりもきつく、図１のように、流出口２ｆの部分はつぼんだ形状をしており、様々な容器の口に差し込むことができるようになっており、これにより安定した状態で液状物を補充することができる。
【００２２】
前記フック２ｃは、本体２の内壁面に突出して取り付けられており、先端部が幅広となっている。このフック２ｃには、袋体に切り口を作る際に使用するハサミ等を掛けて置くことが出来る。
【００２３】
前記突起２ｄは、前記本体２の傾斜部２ａに形成されており、液状物の入った袋体の切り口を引っかけて液状物の流出を促す部材である。前記突起２ｄは、略三角形状をしており、上面より見た場合に緩やかに湾曲し、更に表面に凹凸も設けている。
【００２４】
従って、前記突起２ｄに袋体の切り口を引っかけた場合、切り口が常に開いた状態となるため、液溜まりを防止することができ、更に液状物が流出しやすくなる。
【００２５】
図１に示すように、前記支持板３は、上端に上突板３ｂを垂設し、下端中央に凹部３ｄを形成して、前記凹部３ｄの上端に前記上突板３ｂと平行となるように下突板３ｃを垂設し、上部及び下部以外の面に緩やかな湾曲部３ａを形成している。
【００２６】
前記上下突板３ｂ、３ｃは同型同大の平板で、支持板３から同方向に向かって垂設されている。また、前記湾曲部３ａは一定の力が加わると可変可能であるため、前記支持板３を隙間２ｅに挿通するに従って前記湾曲部３ａは真っ直ぐに修正され支持板３全体を隙間２ｅに挿入することが出来る。尚、このとき、湾曲部２ａは復元力により元に戻ろうとする力が働き、接触しているガイド２ｂとの間に抵抗が生じているため、支持板３を任意の高さに維持することができる。このようにすることで、例えば図４のように使用した際に袋体９の角９ｃを切り口９ｂよりも高い位置で維持させることができ、袋体９から液状物が流出しやすくできる。また、隙間２ｅに支持板３を挿入しやすくするため、前記各ガイド２ｂの上辺に丸みを持たせた。
【００２７】
この支持板３を任意の隙間２ｅに挿通することで、袋体を支える壁を形成することができる。従って、袋体から液状物を詰め替える場合、最も中央寄りの隙間２ｅを使って内壁を構成すれば袋体が倒れることが無く、より効率的に液状物を出すことができる。
【実施例２】
【００２８】
図２は本考案である詰替補助具の第２実施例の斜視図、図３は詰替補助具の第２実施例の平面図、図４及び図５は詰替補助具の縦断面図である。
【００２９】
図２及び図３に示すように、本考案である詰替補助具１ａは、実施例１で示した詰替補助具１とほぼ同じ構成をしている。
【００３０】
即ち、詰替補助具１ａは、有底の上面が開口し前記底が中央に向かって下方に傾斜し中央の再下端に流出口２ｆを穿設した平面形状が略長方形の本体２と、前記本体２の内部側面に取り付けられるフック２ｃと、前記本体２の底部傾斜面に形成される略三角形状の突起２ｄと、前記本体２の向かい合う各長辺の内側面に垂直下方に向かって平行且つ隙間２ｅを設けて取り付けられた複数のガイド２ｂ、２ｂ、２ｂ・・・と、前記ガイド２ｂ間の隙間２ｅに上方から挿通し前記本体２内部を間仕切る支持板３とからなり、前記支持板３は、上端に上突板３ｂを垂設し、下端中央に凹部３ｄを形成して、前記凹部３ｄの上端に前記上突板３ｂと平行となるように下突板３ｃを垂設し、上部及び下部以外の面に緩やかな湾曲部３ａを形成している。
【００３１】
更に、詰替補助具１ａの本体２は、外側面の中央付近に取付部４を備えている。前記取付部４は、前記本体２の外側面に垂設され端部に上下挟持片からなる略コの字状の連結凹部５ａを形成し、前記上下挟持片に取付孔を穿設した連結部５と、前記連結凹部５ａに連結軸５ｂを介して回動可能に取り付ける挿入部６ａを備えた吸盤６とからなる。
【００３２】
前述のように、吸盤６と連結部５は、連結軸５ｂを介して回動可能に取り付けられているため、詰替補助具１ａを吸盤６を介して浴槽等の壁に吸着させた後でも、本体２を任意の方向に回動させることができる。
【００３３】
図４に示すように、本考案である詰替補助具１、１ａを使用する場合、まず、流出孔２ｆを詰替先となる容器の口に挿入し、次に袋体の大きさに合わせて支持板３を任意の隙間２ｅに挿入する。
【００３４】
次に、袋体９の口をハサミ等で切り、切り口９ｂを下に向けて突起２ｄに掛け、液状物９ａが自然に流れ出る状態にする。
【００３５】
前述のように、前記突起２ｄは平面から見た場合にやや湾曲しているため、突起２ｄに掛けられた袋体９の口は常に開いた状態で保持され、袋体９内の液状物９ａが流れ出やすくなっている。そのため、以上の状態で放置すれば袋体９内の液状物９ａのほとんどは自然に容器７に詰め替えられる。
【００３６】
尚、シャンプー等の液状物は粘度が強いため、袋体９内に残っている可能性が多く、その場合は、袋体９を絞ったり、丸めたりして残留する液状物９ａを本体２内に絞り出せば自然に容器７内に流入してゆく。
【００３７】
図５に示すように、本考案である詰替補助具１、１ａを使用しない場合、袋体９の口を切るために使用するハサミをフック２ｃに引っかけておくことができ、詰替の際にハサミ８を探しに行かなくても済む。
【００３８】
また、前述のようにハサミ８を収納しておく場合に、前記支持板３でハサミの先端を押さえることにより、ハサミ８をしっかりと保持させておくことができ、より安全に使用することが出来る。
【００３９】
また、ハサミ等を収納しておく場合であっても（そうでない場合であっても）、本体２内の空間には余裕があるため、ヘアブラシ等の小物を収納しておくことができ便利である。
【００４０】
更に、図示はしていないが、本体２を反転させることにより造花などの一輪挿しとしても使用することができ、本来の使用目的である液状物９ａの詰替以外にも使用することができる。そのため、本来の使用を終えた後にわざわざ収納する必要もなく、いつでも使用でき便利である。
【００４１】
尚、本考案である詰替補助具１の大きさについては、以下のサイズを予定しているが、限定したものではない。
【００４２】
まず、本体２について、高さ１１０ｍｍ、横１２２ｍｍ、奥行き３７ｍｍとし、前記高さ１１０ｍｍのうち下部の傾斜部開始位置から流出口２ｆまでの高さは１５ｍｍである。また、前記流出口２ｆの直径は１５ｍｍとした。
【００４３】
前記ガイド２ｂの縦７５ｍｍ、横５ｍｍの平板とし、前記本体２の上辺から１０ｍｍ下の位置に取り付けられている。
【００４４】
前記支持板３は、縦７５ｍｍ、横３２ｍｍの平板で、上下突板３ｂ、３ｃは横２２ｍｍ、奥行き１５ｍｍである。
【００４５】
前記フック２ｃの突端の幅広部分は円盤状をしており、直径２０ｍｍである。また、突起２ｄは略三角形状をしており、高さを１５ｍｍとした。
【００４６】
尚、詰替補助具１ａを浴室等の壁面に取り付けた際、壁面から本体２までの距離が３３ｍｍとなる。但し、これらの数値については、特に限定したものではない。
【００４７】
また、本考案の詰替補助具１、１ａの材質についてはポリプロピレンを予定し、色については、乳白色、ピンク、緑、青及びパール色などを予定している。但し、これらの材質、色に限定したものではなく、その他の材質、色であっても構わない。
【産業上の利用可能性】
【００４８】
本考案である詰替補助具は、誰でも簡単にしかも最後の一滴まで袋体から容器に液状物を移すことが出来るため、液状物を無駄にすることが無く、また、詰替以外の時に小物入れ等として使用することが出来るため浴室等に常設させて、必要に応じて使用方法を変えることができ、幅広い場面で使用することが出来る。
【符号の説明】
【００４９】
１    詰替補助具
２    本体
２ａ  傾斜部
２ｂ  ガイド
２ｃ  フック
２ｄ  突起
２ｅ  隙間
２ｆ  流出口
３    支持板
３ａ  湾曲部
３ｂ  上突板
３ｃ  下突板
３ｄ  凹部
４    取付部
５    連結部
５ａ  連結凹部
５ｂ  連結軸
６    吸盤
６ａ  挿入部
７    容器
８    ハサミ
９    袋体
９ａ  液体物
９ｂ  切り口
９ｃ  角
【図１】
0003164676.tif 000003
【図２】
0003164676.tif 000004
【図３】
0003164676.tif 000005
【図４】
0003164676.tif 000006
【図５】
0003164676.tif 000007